(57)【要約】      （修正有）【課題】小型・軽量化と高変倍比化を達成しつつ、近距離合焦時のフォーカスストローク量が抑制されたズームレンズおよびそれを有する撮像装置を提供すること。【解決手段】物体側から順に、常時固定の正の屈折力の第１群Ｕ１、変倍に際して移動する負の屈折力の第２群Ｕ２、変倍及びフォーカスに際して移動する正の屈折力の第３群Ｕ３、変倍に際して移動する正の屈折力の第４群Ｕ４、変倍時に固定の屈折力の第５群Ｕ５で構成されるズームレンズであることを特徴とする。【選択図】図１
2017215409.tif 000002
【特許請求の範囲】
【請求項１】
物体側から順に、常時固定の正の屈折力の第１群、変倍に際して移動する負の屈折力の第２群、変倍及びフォーカスに際して移動する正の屈折力の第３群、変倍に際して移動する正の屈折力の第４群、変倍時に固定の屈折力の第５群で構成されるズームレンズにおいて、広角端から望遠端へのズーミングに際し、前記第２レンズ群は像側に移動し、前記第３レンズ群は像側に凸状の軌跡を描くように移動することを特徴とするズームレンズ。
【請求項２】
請求項１において、以下の式を満足することを特徴とするズームレンズ。
-0.70 ＜ f23/f3 ＜-0.10
但し、
f23はワイド端における第２群と第３群の合成焦点距離
f3は変倍及びフォーカスに際して移動する正の屈折力の第３群の焦点距離
【請求項３】
請求項１又は請求項２において、以下の式を満足することを特徴とするズームレンズ。
-6.0 ＜ f1/f23 ＜-4.0
但し、
f1は常時固定の正の屈折力の第１群の焦点距離
【請求項４】
請求項１及至請求項３の何れか一項において、以下の式を満足することを特徴とするズームレンズ。
1.9 ＜ f1/f4 ＜2.5
但し、
f4は変倍に際して移動する正の屈折力の第４群の焦点距離
【請求項５】
前記第１レンズ群が４枚又は５枚のレンズで構成されることを特徴とする請求項１乃至請求項４の何れか一項に記載のズームレンズ。
【請求項６】
開口絞り及び前記開口絞りより像側のレンズ群がズーミング中に不動であることを特徴とする請求項１乃至請求項５の何れか一項に記載のズームレンズ。
【請求項７】
前記開口絞りが前記第４レンズ群と前記第５レンズ群の間に位置することを特徴とする請求項１乃至請求項６の何れか一項に記載のズームレンズ。
【請求項８】
請求項１乃至請求項７の何れか一項に記載のズームレンズと、該ズームレンズによって形成した像を受光する撮像素子と、を有していることを特徴とする撮像装置。 
【発明の詳細な説明】
【技術分野】
【０００１】
本発明は、ズームレンズ及びそれを有する撮像装置に関し、放送用テレビカメラ、ビデオカメラ、デジタルスチルカメラ、銀塩写真用カメラ等に好適なものである。
【背景技術】
【０００２】
従来のテレビカメラ用のいわゆる４群ズームレンズにおいて、広角、高倍率且つ高性能を達成するための構成が種々提案されている。
【０００３】
特許文献１には、第１レンズ群を物体側から負レンズ群Ｇ１１、第１の正レンズ群Ｇ１２、第２の正レンズ群Ｇ１３に分割している。第１の正レンズ群Ｇ１２を光軸上で移動することにより、フォーカシングを行うインナーフォーカス式のズームレンズが提案されている。
【０００４】
また、第１レンズ群以外でフォーカシングを行ういわゆるリアフォーカス方式のズームレンズが知られている。変倍群以降でフォーカシングを行うリアフォーカス方式ではフォーカス距離によって変倍比が変化する。変倍比の変化とは広角端と望遠端での画界の拡大率が変化することを意味しており、変倍比が大きく変化することで至近距離では望遠端で所望の画界が得られなくなる。近年においてリアフォーカス方式のズームレンズに関し、変倍群でフォーカスを行う際の、フォーカス距離による変倍比の変化に着目したズームレンズが提案されている。
【０００５】
特許文献２には、５群ズームレンズにおいて第２〜４群が変倍群で、第４群がフォーカシングによる結像位置変化の補正を兼ねる構成で、合焦する距離に応じて第２群の移動量を変化させる構成のリアフォーカス方式が提案されている。
【先行技術文献】
【特許文献】
【０００６】
【特許文献１】特許第４４６９６２５号公報
【特許文献２】特許第３２７８３２４号公報
【発明の概要】
【発明が解決しようとする課題】
【０００７】
特許文献１のズームレンズは、レンズ径の大きい第１群でのインナーフォーカス式であり、フォーカス群を構成するレンズ枚数が多いためレンズの小型・軽量化が難しい。
【０００８】
特許文献２のズームレンズに対し、高変倍比化し変倍群でフォーカスを行う際の課題として、第２群のストロークを大きく確保する必要があるためレンズの小型軽量化が難しい。
【０００９】
本発明は、レンズ各群の焦点距離を適切に規定することで、小型軽量化を達成しつつ、近距離合焦時のフォーカスストローク量が抑制されたズームレンズおよびそれを有する撮像装置を提供することを目的とする。
【課題を解決するための手段】
【００１０】
上記の目的を達成するために、本発明に係るズームレンズは、
物体側から順に、常時固定の正の第１群、変倍に際して移動する負の第２群、変倍及びフォーカスに際して移動する正の第３群、変倍に際して移動する正の第４群、変倍時に固定の正の第５群で構成されるズームレンズである事を特徴とする。
【発明の効果】
【００１１】
本発明によれは、レンズ各群の焦点距離を適切に規定することで、小型・軽量化を達成しつつ、近距離合焦時のフォーカスストローク量が抑制されたズームレンズおよびそれを有する撮像装置を得ることができる。
【図面の簡単な説明】
【００１２】
【図１】実施例１のズームレンズの無限遠フォーカス時の広角端におけるレンズ断面図である。
【図２（Ａ）】実施例１の広角端・無限遠フォーカス時の収差図である。
【図２（Ｂ）】実施例１の広角端至近距離(第1面より900mm)フォーカス時の収差図である。
【図２（Ｃ）】実施例１の望遠端・無限遠フォーカス時の収差図である。
【図２（Ｄ）】実施例１の望遠端・至近距離(第1面より900mm)フォーカス時の収差図である。
【図３】実施例２のズームレンズの無限遠フォーカス時の広角端におけるレンズ断面図である。
【図４（Ａ）】実施例２の広角端・無限遠フォーカス時の収差図である。
【図４（Ｂ）】実施例２の広角端至近距離(第1面より900mm)フォーカス時の収差図である。
【図４（Ｃ）】実施例２の望遠端・無限遠フォーカス時の収差図である。
【図４（Ｄ）】実施例２の望遠端・至近距離(第1面より900mm)フォーカス時の収差図である。
【図５】各実施例のズームレンズの変倍及びフォーカスに際する各群の移動軌跡の模式図である。
【図６】各実施例のズームレンズを撮影光学系として用いた撮像装置（テレビカメラシステム）の要部概略図である。
【図７】レンズ群へ入射する光線と物像点の関係を示した近軸配置図である。
【発明を実施するための形態】
【００１３】
以下に本発明の実施の形態を添付の図面に基づいて詳細に説明する。
【００１４】
本発明のズームレンズは物体側から順に、常時固定の正の第１群、変倍に際して移動する負の第２群、変倍及びフォーカスに際して移動する正の第３群、変倍に際して移動する正の第４群、変倍時に固定の正の第５群で構成される。
【００１５】
図１は本発明の実施例１としての数値実施例２の広角端（短焦点距離端）で、無限遠物体にフォーカスしているときのレンズ断面図である。
【００１６】
図２（Ａ）、（Ｂ）、（Ｃ）、（Ｄ）は、広角端・無限遠フォーカス時、広角端至近距離(第1面より900mm)フォーカス時、望遠端・無限遠フォーカス時、望遠端・至近距離(第1面より900mm)フォーカス時の収差図である。
【００１７】
図３は本発明の実施例２としての数値実施例１の広角端（短焦点距離端）で、無限遠物体にフォーカスしているときのレンズ断面図である。
【００１８】
図４（Ａ）、（Ｂ）、（Ｃ）、（Ｄ）は、広角端・無限遠フォーカス時、広角端至近距離(第1面より900mm)フォーカス時、望遠端・無限遠フォーカス時、望遠端・至近距離(第1面より900mm)フォーカス時の収差図である。
【００１９】
図５は各実施例のズームレンズの変倍及びフォーカスに際する各群の移動軌跡の模式図である。
【００２０】
各収差図において、球面収差における直線と破線はそれぞれｅ線，ｇ線である。非点収差における実線と破線はそれぞれサジタル像面(ΔＳ)，メリディオナル像面(ΔＭ)であり、倍率色収差はｇ線によって表している。非点収差および倍率色収差は、絞り位置における光束の中心を通る光線を主光線としたときの収差量を示している。ωは近軸での半画角、ＦｎｏはＦナンバーである。尚、以下の各実施例において広角端と望遠端は変倍用レンズ群が機構上、光軸上を移動可能な範囲の両端に位置したときの変倍位置をいう。
【００２１】
本発明は、レンズ各群の焦点距離を適切に規定することで、小型・軽量化を達成しつつ、近距離合焦時のフォーカスストローク量が抑制されたズームレンズおよびそれを有する撮像装置を得ることができる。
【００２２】
具体的には、物体側から順に、常時固定の正の第１群、変倍に際して移動する負の第２群、変倍及びフォーカスに際して移動する正の第３群、変倍に際して移動する正の第４群、変倍時に固定の正の第５群で構成されるズームレンズである事を特徴とする。
【００２３】
図６に、ワイド端からテレ端へ変倍する際に移動する各群の移動軌跡を示している。ワイド端からテレ端へ変倍する際に、第２群は物体側から像側へ移動し、第３群は物体側に凸の軌跡を描いて移動する。
【００２４】
図７に、フォーカス時の像点補正の概念図を示し、フォーカスストローク量の抑制について説明する。前述の第３群による像点の補正について説明する。
【００２５】
フォーカス群はフォーカスの際、ピントの位置ズレが起こらないようにバックフォーカスを一定にする必要がある。今回のズームレンズでは第３群をフォーカス群として像点を一致させる働きを行なう。物体距離無限遠の場合、物体距離至近において第２群像点の変動量を第３群で補正し、像点を一致させる条件式を求める。
【００２６】
【数１】
2017215409.tif 000003
【００２７】
また、h2modは至近合焦時において第２群に入射する近軸での軸上光線の高さ、h2infは無限遠合焦時において第２群に入射する近軸での軸上光線の高さを示す。a3modは至近合焦時において第３群に入射する近軸上光線の傾き、a3infは無限遠合焦時において第３群に入射する近軸での軸上光線の傾きを示す。近軸での軸上光線とは、光学系全系の焦点距離を１に正規化し、光学系の光軸と平行に、光軸からの高さ１の光を入射させたときの近軸光線である。光線の傾きは任意の区間における光線の高さの差分をその区間の長さで割ったものである。以下物体は光学系の左側にあるものとし、物体側から光学系に入射する光線は左から右へ進むものとして扱う。光学系への入射角度は、光軸から測って時計回りを正、反時計回りを負とする。ｅ３は第２群と第３群の間隔を表し、以下のように表すことができる。
【００２８】
【数２】
2017215409.tif 000004
【００２９】
【数３】
2017215409.tif 000005
【００３０】
本発明は全て、物体側から順に、常時固定の正の第１群、変倍に際して移動する負の第２群、変倍及びフォーカスに際して移動する正の第３群、変倍に際して移動する負の第４群、変倍時に固定の正の第５群で構成されるズームレンズである事を特徴としている。
【００３１】
更に以下の条件式を満足する事が望ましい。
-0.70 ＜ f23/f3 ＜-0.10                                                (10)
条件式(10)は、ワイド端における第２群と第３群の合成焦点距離と、変倍及びフォーカスに際して移動する正の屈折力の第３群の焦点距離の比を規定することにより、フォーカス時の繰り出し量の低減と、フォーカス時の収差変動の抑制に関して規定している。f23はイド端における第２群と第３群の合成焦点距離を示し、f3は変倍及びフォーカスに際して移動する正の屈折力の第３群の焦点距離を示す。フォーカス時の繰り出し量の低減には、式(6)、式(9)より、第３群の焦点距離が短くなることが望ましい。
【００３２】
条件式(10)の下限に達すると、第３群の焦点距離が長くなり、第２群と第３群の合成焦点距離が短くなる。第1群の焦点距離に対して、第３群の焦点距離が長くなるとその結果、フォーカス時の繰り出し量が増加してしまい変倍部が長くなってしまう。また、第２群と第３群の合成焦点距離が短くなるとズーム時の諸収差の変動が大きくなってしまう。
【００３３】
条件式(10)の上限に達すると、第３群の焦点距離が短くなり、第２群と第３群の合成焦点が長くなる。第３群の焦点距離が短くなると、テレ端でのフォーカス時における諸収差の変動が大きくなってしまい光学性能が劣化してしまう。また、第３群内の収差を補正するためにレンズ枚数を必要とするためフォーカス群の重量が重くなってしまう。
条件式（10）は、次の（10a）の範囲を満足することが更に好ましい。
-0.60 ＜ f23/f3 ＜-0.12                                             （10a）
更に以下の条件式を満足する事が望ましい。
-6.0 ＜ f1/f23 ＜-4.0                                          (11)
条件式(11)は、常時固定の正の屈折力の第１群の焦点距離と、ワイド端における第２群と第３群の合成焦点距離の比を規定することにより、フォーカス時の繰り出し量の低減と、フォーカス時の収差変動の抑制に関して規定している。f1は常時固定の正の屈折力の第１群の焦点距離を示し、f23はワイド端における第２群と第３群の合成焦点距離を示す。
【００３４】
【数４】
2017215409.tif 000006
【００３５】
条件式（11）は、次の（11a）の範囲を満足することが更に好ましい。
-5.95 ＜ f1/f23 ＜-4.50                                    （11a）
更に以下の条件式を満足することが望ましい。
1.9 ＜ f1/f4 ＜2.5                                          (12)
条件式(12)は、常時固定の正の屈折力の第１群の焦点距離と、正の屈折力の第１群の焦点j距離の比を規定することにより、レンズの小型化を規定している。f1は常時固定の正の屈折力の第１群の焦点距離を示し、f4は変倍に際して移動する正の屈折力の第３群の焦点距離を示す。前玉径の光線径は広角側の軸外光線によって決定されるため、第4群の前玉径の低減には、第４群が強い屈折力を持った正群であることが望ましい。
【００３６】
条件式(12)の上限に達すると、第４群の焦点距離が短くなり、第１群の焦点距離が長くなる。第４群の焦点距離が長くなりすぎると、第１群から第３群までの軸外光線の高さを抑制することができなくなるため、前玉径の小型化が困難となる。
【００３７】
条件式(12)の下限に達すると、第４群の焦点距離が長くなり、第１群の焦点距離が短くなる。第４群の焦点距離が短くなりすぎると、第４群を構成するガラスの枚数を増加する必要があるため、第１群から絞りまでの距離が長くなり、第１群の軸外光線の高さを抑制することができなくなるため、レンズの小型化が困難となる。
条件式（12）は、次の（12a）の範囲を満足することが更に好ましい。
2.0 ＜ f1/f4 ＜2.35                                                 （12a）
本発明の更なる実施態様として、第１レンズ群を構成するレンズ枚数を規定している。本発明では、第１レンズ群が４枚又は５枚のレンズで構成されることを規定している。レンズ枚数を更に増やすと、第１レンズ群の小型軽量が困難となる。一方、レンズ枚数を更に減らすと、第１レンズ群を構成する各レンズの屈折力が強くなり過ぎるため、第１レンズ群内で発生する広角側の倍率色収差や歪曲、望遠端の球面収差など諸収差の変動が増大し、良好な収差の抑制が困難となる。
【００３８】
本発明の更なる実施態様として、開口絞り及び前記開口絞りより像側のレンズ群がズーミングに際して不動であることを規定している。これによりＦ落ちポイントまでのＦナンバーを一定に保つことができる。
【００３９】
本発明の更なる実施態様として、開口絞りが第４レンズ群と第５レンズ群の間に位置することを規定している。これによりＦ落ちポイントまでのＦナンバーを一定に保つことができる。
【実施例１】
【００４０】
数値実施例１としての実施例１における移動群である第２レンズ群Ｕ２、第３レンズ群Ｕ３、第４レンズ群Ｕ４について説明する。第２レンズ群Ｕ２は、数値実施例１において第９レンズ面〜第１３レンズ面に対応し、物体側から順に、負レンズ、正レンズと負レンズがこの順番で貼り合わされた接合負レンズで構成されている。第３レンズ群Ｕ３は、数値実施例１において第１４レンズ面〜第１５レンズ面に対応し、１枚の正レンズで構成されている。第４レンズ群Ｕ４は、数値実施例１において第１６レンズ面〜第２３レンズ面に対応し、物体側から順に、負レンズと正レンズがこの順に貼り合わされた接合正レンズ、正レンズと負レンズがこの順に張り合わされた接合正レンズ、正レンズにて構成されている。非球面は第９面と第２３面に用いられている。
【００４１】
本実施例の各条件式対応値を表１に示す。本数値実施例は式（１０）から（１１）の条件式を満足しており、良好な光学性能を達成している。更に小型軽量な第３レンズ群を用いてフォーカシングを行う構成である。至近端(レンズ第１面の頂点より物体側に０．９ｍ)にフォーカスを合わせた際にも、望遠端での近距離撮影時のフォーカス移動群の繰り出し量は５．８ｍｍであり、フォーカスストロークも抑制されている。
【実施例２】
【００４２】
数値実施例２としての実施例２における移動群である第２レンズ群Ｕ２、第３レンズ群Ｕ３、第４レンズ群Ｕ４について説明する。第２レンズ群Ｕ２は、数値実施例２において第９レンズ面〜第１３レンズ面に対応し、物体側から順に、負レンズ、正レンズと負レンズがこの順番で貼り合わされた接合負レンズで構成されている。第３レンズ群Ｕ３は、数値実施例１において第１４レンズ面〜第１５レンズ面に対応し、１枚の正レンズで構成されている。第４レンズ群Ｕ４は、数値実施例１において第１６レンズ面〜第２３レンズ面に対応し、物体側から順に、負レンズと正レンズがこの順に貼り合わされた接合正レンズ、正レンズと負レンズがこの順に張り合わされた接合正レンズ、正レンズにて構成されている。非球面は第９面と第２３面に用いられている。
【００４３】
本実施例の各条件式対応値を表１に示す。本数値実施例は式（１０）から（１１）の条件式を満足しており、良好な光学性能を達成している。更に小型軽量な第３レンズ群を用いてフォーカシングを行う構成である。至近端(レンズ第１面の頂点より物体側に０．９ｍ)にフォーカスを合わせた際にも、望遠端での近距離撮影時のフォーカス移動群の繰り出し量は３．７ｍｍであり、フォーカスストロークも抑制されている。
【００４４】
次に、上述した各ズームレンズを撮像光学系として用いた撮像装置について説明する。図６は各実施例のズームレンズを撮影光学系として用いた撮像装置（テレビカメラシステム）の要部概略図である。図６において１０１は実施例１〜２のいずれか１つのズームレンズである。
【００４５】
１２４はカメラである。ズームレンズ１０１はカメラ１２４に対して着脱可能になっている。１２５はカメラ１２４にズームレンズ１０１を装着することにより構成される撮像装置である。ズームレンズ１０１は第１レンズ群１１４、変倍時に移動する第２、第３レンズ群と、変倍及びフォーカシング時に光軸上を移動する第４レンズ群を含む変倍部（兼フォーカス部）１１５、結像用の第５レンズ群１１６を有している。ＳＰは開口絞りである。変倍並びにフォーカシング中に固定の第５レンズ群１１６は、光路中より挿抜可能な変倍光学系ＩＥを有している。
【００４６】
変倍部１１５には、光軸方向に駆動される為の駆動機構が備わっている。１１７、１１８は変倍部１１５及び開口絞りＳＰを電動駆動するモータ等の駆動手段である。１１９、１２０は、変倍部１１５中の各レンズ群の光軸上の位置と、開口絞りＳＰの絞り径を検出する為のエンコーダやポテンショメータ、あるいはフォトセンサ等の検出器である。尚、変倍部１１５中の各レンズ群の駆動軌跡は、ヘリコイドやカムなどの機械的軌跡や、超音波モータなどによる電気的軌跡のどちらであっても構わない。カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【００４７】
以上、本発明の好ましい実施形態について説明したが、本発明はこれらの実施形態に限定されず、その要旨の範囲内で種々の変形及び変更が可能である。
【００４８】
次に本発明の実施例１〜２に対応する数値実施例を示す。各数値実施例においてｉは物体側からの面の順序を示し、ｒｉは物体側より第ｉ番目の面の曲率半径、ｄｉは物体側より第ｉ面と第ｉ＋１番目の間隔、ｎｄｉとνｄｉは第ｉ番目の光学部材の屈折率とアッベ数である。最後の３つの面はフィルタ等の硝子ブロックである。焦点距離、Ｆナンバー、画角は、それぞれ無限遠物体に焦点を合わせたときの値を表している。ＢＦはガラスブロックの最終面から像面までの距離を空気換算した値である。
【００４９】
尚、非球面形状は、光軸方向の座標をｘ、光軸と垂直方向の座標をｙ、基準の曲率半径をＲ、円錐常数をｋ、ｎ次の非球面係数をAnとして、以下の式で表される。但し、「e-x」は「×10-x」を意味している。尚、非球面を有するレンズ面には各表中の面番号の左側に*印を付している。
【００５０】
ｘ＝（ｙ２／ｒ）／｛１＋（１−（１＋ｋ）・ｙ２／ｒ２）０．５｝＋A２・ｙ２＋A３・ｙ３＋A４・ｙ４＋A５・ｙ５＋A６・ｙ６＋A７・ｙ７＋A８・ｙ８＋A９・ｙ９＋A１０・ｙ１０＋A１１・ｙ１１＋A１２・ｙ１２
各実施例と前述した各条件式との対応を表１に示す。
【００５１】
(数値実施例１)
単位 mm
面データ
面番号       r        d      nd         vd
1        696.485    2.30   1.85478    24.8           
2        110.545    9.32                             
3      -6118.896    7.61   1.43387    95.1           
4       -105.158    0.10                             
5         76.797   13.32   1.43387    95.1           
6       -282.025    0.15                             
7         56.261    8.12   1.76385    48.5           
8        127.663  (可変)                             
9*      -172.689    1.00   2.00330    28.3           
10         20.819    4.89                             
11        -17.209    3.92   1.95906    17.5           
12        -11.399    0.75   1.88300    40.8           
13        433.752  (可変)                             
14       -339.523    3.34   1.60342    38.0           
15        -32.585  (可変)                             
16         51.578    1.00   1.84666    23.8           
17         36.298    4.58   1.53775    74.7           
18        222.880    0.58                             
19         56.870    9.04   1.53775    74.7           
20        -30.551    1.00   1.84666    23.8           
21        -43.201    0.10                             
22         78.537    3.44   1.62041    60.3           
23*      -145.867  (可変)                             
24(絞り)    ∞     (可変)                             
25        -68.127    0.85   1.88300    40.8           
26         14.547    5.59   1.85478    24.8           
27        132.731    1.74                             
28        -55.287    0.75   1.83481    42.7           
29        157.316    2.35                             
30        -35.519    2.00   1.72916    54.7           
31        -31.583    1.88   1.85478    24.8           
32        -25.721   29.99                             
33         32.430    5.80   1.48749    70.2           
34        -41.411    0.28                             
35        -64.279    0.75   1.88300    40.8           
36         23.624    5.95   1.48749    70.2           
37        -96.629    0.15                             
38        137.179    4.96   1.48749    70.2           
39        -32.803    1.00   1.80518    25.4           
40        -45.128    0.20                             
41        122.796    3.08   1.51823    58.9           
42        -81.047    5.00                             
43          ∞      33.00   1.60859    46.4           
44          ∞      13.20   1.51633    64.1           
45          ∞     (可変)                             
像面        ∞   
非球面データ
第9面
K =-4.13029e+002  A 4= 1.70904e-006  A 6=-1.47191e-007  A 8= 9.35143e-010  A10=-5.08700e-012  A12= 5.28371e-014  
A 5= 1.17163e-006  A 7= 9.56494e-010  A 9= 2.22114e-011  A11=-7.16474e-013  
第23面
K =-5.19492e+000  A 4= 6.41133e-006  A 6= 4.44597e-009  A 8= 3.34814e-012  A10=-7.98171e-014  A12= 1.76557e-016  
A 5=-2.03951e-007  A 7= 4.90946e-010  A 9=-6.79128e-013  A11=-3.29420e-016  
各種データ
ズーム比     21.12 
広角     中間     望遠
焦点距離       8.00    32.37   168.98  
Fナンバー      1.87     1.87     2.48  
画角          34.51     9.64     1.86  
像高           5.50     5.50     5.50  
レンズ全長   273.37   273.37   273.37  
BF             4.45     4.45     4.45  
d 8            2.11    34.36    48.71  
d13            1.32    10.54     1.00  
d15           69.93    26.16     6.89  
d23            0.50     2.81    17.26  
d24            2.00     2.00     2.00  
d45            4.45     4.45     4.45  
ズームレンズ群データ
群  始面    焦点距離  
1    1      69.72  
2    9      -8.45  
3   14      59.12  
4   16      29.96  
5   24       ∞    
6   25      34.23  
(数値実施例２)
単位 mm
面データ
面番号       r        d      nd         vd
1        920.705    2.30   1.85478    24.8           
2        117.904   13.99                             
3       -457.334   10.10   1.43387    95.1           
4        -85.983    0.10                             
5         74.250   12.40   1.43387    95.1           
6      -1678.965    0.15                             
7         51.451    9.01   1.76385    48.5           
8        103.185  (可変)                             
9*      -150.699    1.00   2.00330    28.3           
10         21.098    5.23                             
11        -17.353    3.32   1.95906    17.5           
12        -12.646    0.75   1.88300    40.8           
13        287.165  (可変)                             
14         68.796    3.87   1.60342    38.0           
15        -33.978  (可変)                             
16         53.409    1.00   1.84666    23.8           
17         34.929    3.99   1.53775    74.7           
18        167.127    0.58                             
19         60.914    7.95   1.53775    74.7           
20        -29.459    1.00   1.84666    23.8           
21        -44.426    0.10                             
22         88.372    2.45   1.62041    60.3           
23*      -187.998  (可変)                             
24(絞り)    ∞     (可変)                             
25        -66.148    0.85   1.88300    40.8           
26         15.491    4.28   1.85478    24.8           
27        115.258    2.88                             
28        -54.606    0.75   1.83481    42.7           
29        131.516    3.16                             
30        -34.683    2.00   1.72916    54.7           
31        -34.713    4.63   1.85478    24.8           
32        -22.611   29.90                             
33         39.645    5.83   1.48749    70.2           
34        -39.632    1.13                             
35        -77.980    0.75   1.88300    40.8           
36         24.470    8.41   1.48749    70.2           
37        -47.543    0.15                             
38       -165.473    4.06   1.48749    70.2           
39        -27.691    1.00   1.80518    25.4           
40        -45.819    0.27                             
41         90.744    3.13   1.51823    58.9           
42        -72.196    5.00                             
43          ∞      33.00   1.60859    46.4           
44          ∞      13.20   1.51633    64.1           
45          ∞     (可変)                             
像面        ∞   
非球面データ
第9面
K =-2.07380e+002  A 4= 1.56161e-006  A 6=-1.50217e-007  A 8= 1.03498e-009  A10=-4.05010e-012  A12= 3.23760e-014  
A 5= 1.09340e-006  A 7= 5.33968e-010  A 9= 3.71970e-011  A11=-7.17356e-013  
第23面
K =-2.44556e+002  A 4= 9.15355e-006  A 6= 4.83768e-009  A 8= 7.29326e-011  A10=-9.14899e-014  A12=-1.14714e-015  
A 5=-2.23258e-007  A 7= 1.00327e-009  A 9=-3.78601e-013  A11=-6.44854e-015  
各種データ
ズーム比     17.94 
広角     中間     望遠
焦点距離       8.00    32.09   143.52  
Fナンバー      1.86     1.85     2.21  
画角          34.51     9.72     2.19  
像高           5.50     5.50     5.50  
レンズ全長   283.13   283.13   283.13  
BF             4.50     4.50     4.50  
d 8            2.71    35.93    49.30  
d13            3.49     6.61     0.50  
d15           66.52    27.59     4.68  
d23            0.49     3.08    18.73  
d24            1.78     1.78     1.78  
d45            4.50     4.50     4.50  
ズームレンズ群データ
群  始面    焦点距離  
1    1      69.72  
2    9      -8.20  
3   14      38.00  
4   16      33.97  
5   24       ∞    
6   25      29.11  
【００５２】
【表１】
2017215409.tif 000007
【符号の説明】
【００５３】
Ｕ１  第１レンズ群、Ｕ２  第２レンズ群、Ｕ３  第３レンズ群、Ｕ４  第４レンズ群、
Ｕ５  第５レンズ群、ＳＰ  絞り、ＤＧ  ガラスブロック、ＩＰ  撮像面
【図１】
2017215409.tif 000008
【図２（Ａ）】
2017215409.tif 000009
【図２（Ｂ）】
2017215409.tif 000010
【図２（Ｃ）】
2017215409.tif 000011
【図２（Ｄ）】
2017215409.tif 000012
【図３】
2017215409.tif 000013
【図４（Ａ）】
2017215409.tif 000014
【図４（Ｂ）】
2017215409.tif 000015
【図４（Ｃ）】
2017215409.tif 000016
【図４（Ｄ）】
2017215409.tif 000017
【図５】
2017215409.tif 000018
【図６】
2017215409.tif 000019
【図７】
2017215409.tif 000020